(57)【特許請求の範囲】
【請求項１】
災害を考慮して備蓄されている非常用飲料を提供する非常用飲料提供装置であって、
前面扉を有する筐体と、
筐体内に設けられた商品収容部及び商品払出機構と、
前面扉に設けられた複数の商品選択ボタンと、商品取り出し口と、金銭投入部と
を備えており、
筐体内には、商品選択ボタンで選択された商品と金銭投入部から投入された金銭とに従って商品払出機構を制御する制御部が設けられており、
商品収容部は、備蓄された非常用飲料を収容可能であるとともに非常用飲料以外の有料飲料を収容可能なものであり、
筐体には、有料モードと無料モードとを切り替えるモード切替スイッチが設けられていて、モード切替スイッチは、当該自動販売機の利用者が自由に切り替えることができるものであり、
複数の商品選択ボタンは、非常用飲料以外の有料販売商品を選択する有料商品選択ボタンと、非常用飲料を選択する無料商品選択ボタンとから成っており、
制御部は、有料モードとなっている際に有料商品選択ボタンが押された場合には、当該有料販売商品の販売金額以上の金銭が金銭投入部から投入されたのを検知したことを受けて商品払出機構を制御し、当該有料商品選択ボタンに対応した位置に収容されている有料販売商品を払い出させるものであり、無料モードとなっている際に無料商品選択ボタンが押された場合には、金銭投入部における金銭投入を確認することなく商品払出機構を制御し、当該無料商品選択ボタンに対応した位置に収容されている非常用飲料を払い出させるものであることを特徴とする非常用飲料提供装置。
【請求項２】
前記前面扉には、無料モードである旨を表示するモード表示部が設けられており、前記制御部は、前記モード切替スイッチにより無料モードとされた際にモード表示部を動作させる制御を行うものであることを特徴とする請求項１記載の非常用飲料提供装置。
【請求項３】
前記制御部は、前記モード切替スイッチにより有料モードから無料モードに切り替えられた後、設定時間が経過した際に有料モードに自動的に復帰する制御を行うものであることを特徴とする請求項１又は２記載の非常用飲料提供装置。
【請求項４】
前記制御部は、所定時間内の前記非常用飲料の払出回数を制限する制御を行うものであることを特徴とする請求項１乃至３いずれかに記載の非常用飲料提供装置。
【請求項５】
認証情報を入力させる認証情報入力手段が設けられており、
前記モード切り替えスイッチにはロック手段が設けられており、
前記制御部は、ロック手段を制御するものとなっており、認証情報入力手段において正しく認証情報が入力された場合に、ロック手段を解除して前記モード切替スイッチを切り替え可能とするものであることを特徴とする請求項１乃至４いずれかに記載の非常用飲料提供装置。
【請求項６】
演算処理部と、記憶部とを備えており、
前記認証情報には、利用者識別情報が含まれており、
演算処理部は、前記認証情報入力手段で認証情報が入力されて前記制御部によりロック手段が解除され、前記モード切替スイッチが切り替えられて無料商品選択ボタンが押された際、当該払出の日時と払出個数の情報を含む無料払出実績情報とを記憶部に記憶するものであることを特徴とする請求項５記載の非常用飲料提供装置。
【請求項７】
演算処理部と、記憶部とを備えており、
前記前面扉には、無料払出実績情報を表示する実績表示部が設けられており、
演算処理部は、前記モード切替スイッチが切り替えられて無料商品選択ボタンが押された際、当該払出の日時と当該払出の個数を含む無料払出実績情報を記憶部に記憶するものであり、
演算処理部は、装置の稼働中、直近における無料払出実績情報を記憶部から読み出して実績表示部に表示するものであることを特徴とする請求項１乃至６いずれかに記載の非常用飲料提供装置。
【請求項８】
前面扉を有する筐体と、
筐体内に設けられた商品収容部及び商品払出機構と、
前面扉に設けられた複数の商品選択ボタンと、商品取り出し口と、金銭投入部と
を備えた自動販売機であって、
筐体内には、商品選択ボタンで選択された商品と金銭投入部から投入された金銭とに従って商品払出機構を制御する制御部が設けられており、
筐体には、有料モードと無料モードとを切り替えるモード切替スイッチが設けられていて、モード切替スイッチは、当該自動販売機の利用者が自由に切り替えることができるものであり、
複数の商品選択ボタンは、有料販売商品を選択する有料商品選択ボタンと、無料販売商品を選択する無料商品選択ボタンとから成っており、
制御部は、有料モードとなっている際に有料商品選択ボタンが押された場合には、当該有料販売商品の販売金額以上の金銭が金銭投入部から投入されたのを検知したことを受けて商品払出機構を制御し、当該有料商品選択ボタンに対応した位置に収容されている有料販売商品を払い出させるものであり、無料モードとなっている際に無料販売商品ボタンが押された場合には、金銭投入部における金銭投入を確認することなく商品払出機構を制御し、当該無料商品選択ボタンに対応した位置に収容されている無料販売商品を払い出させるものであることを特徴とする自動販売機。
【請求項９】
前記前面扉には、無料モードである旨を表示する表示部が設けられており、前記制御部は、前記モード切替スイッチにより無料モードとされた際に表示部を動作させる制御を行うものであることを特徴とする請求項８記載の自動販売機。
【請求項１０】
前記制御部は、前記モード切替スイッチにより有料モードから無料モードに切り替えられた後、設定時間が経過した際に有料モードに自動的に復帰する制御を行うものであることを特徴とする請求項８又は９記載の自動販売機。
【請求項１１】
前記制御部は、所定時間内の前記無料販売商品の払出回数を制限する制御を行うものであることを特徴とする請求項８乃至１０いずれかに記載の自動販売機。
【請求項１２】
認証情報を入力させる認証情報入力手段が設けられており、
前記モード切り替えスイッチにはロック手段が設けられており、
前記制御部は、ロック手段を制御するものとなっており、認証情報入力手段において正しく認証情報が入力された場合に、ロック手段を解除して前記モード切替スイッチを切り替え可能とするものであることを特徴とする請求項８乃至１１いずれかに記載の自動販売機。
【請求項１３】
演算処理部と、記憶部とを備えており、
前記認証情報には、利用者識別情報が含まれており、
演算処理部は、前記認証情報入力手段で認証情報が入力されて前記制御部によりロック手段が解除され、前記モード切替スイッチが切り替えられて無料商品選択ボタンが押された際、当該払出の日時と払出個数の情報を含む無料払出実績情報とを記憶部に記憶するものであることを特徴とする請求項１２記載の自動販売機。
【請求項１４】
演算処理部と、記憶部とを備えており、
前記前面扉には、無料払出実績情報を表示する実績表示部が設けられており、
演算処理部は、前記モード切替スイッチが切り替えられて無料商品選択ボタンが押された際、当該払出の日時と当該払出の個数を含む無料払出実績情報を記憶部に記憶するものであり、
演算処理部は、自動販売機の稼働中、直近における無料払出実績情報を記憶部から読み出して実績表示部に表示するものであることを特徴とする請求項８乃至１３いずれかに記載の自動販売機。
【発明の詳細な説明】
【技術分野】
【０００１】
本願発明は、災害等のために備蓄されている非常用飲料の提供装置に関するものであり、また各種飲料等を販売する自動販売機に関するものである。本願発明は、特に企業や病院、大学等の事業所に設置されると好適な非常用飲料提供装置及び自動販売機に関するものである。
【背景技術】
【０００２】
現在、駅や街頭に多くの自動販売機が設置されており、各種の飲料や食品等が販売されている。自動販売機は、企業や病院、大学等の事業所にも設置されており、事業所の所属者や事業所への来訪者に利用されている。尚、「所属者」とは、企業のオフィスや工場の場合には従業員ということになるし、病院であれば医師や看護師の他、入院患者も含まれる。また、大学であれば、教職員や学生ということになるし、スポーツクラブのような会員制の施設であれば職員の他に会員も含まれる。
【先行技術文献】
【特許文献】
【０００３】
【特許文献１】特開２００６−３１６３８号公報
【発明の概要】
【発明が解決しようとする課題】
【０００４】
企業や病院、大学等の事業所において現在要請されていることの一つに、非常時の飲料の備蓄が挙げられる。例えば、東京都の帰宅困難者対策条例では、事業所の従業員１人あたり３日分の９リットルの非常用飲料の備蓄が要請されている。
しかしながら、事業所にとっては、そのような大量の非常用飲料を保管しておくスペースを確保する必要があるし、管理する責任者を置く必要がある。とりわけ問題なのは、コストである。１本の非常用飲料自体の価格は安いとしても、大規模の事業所であれば大量に備蓄するにはそれなりのコストが発生する。特に悩ましいのは、賞味期限を過ぎてしまい、未使用のまま買い換えをしなければいけない点である。多くの帰宅困難者が出る大規模な災害がないことは幸いなことであるが、大量の非常用飲料が未使用のまま賞味期限が到来し、買い換えをしなければならなくなることは、無駄なコストであり、資源の浪費であるとも言える。
【０００５】
一方、目を転じてみると、多くの事業所では、冷水器やウォーターサーバーが設置されている。冷水器は、周知のように水道水を冷やして蛇口から飲めるようにした器具である。ウォーターサーバーは、ミネラルウォーターを収容したタンクを搭載して冷やし、紙コップに注いで飲めるようにした器具である。
これら冷水器やウォーターサーバーは、事業所の所属者や来訪者に対して無料で飲料を提供するものである。しかし、冷水器については、器具自体のコストの他、衛生面から定期的なクリーニングが必要であり、その分のコスト（メンテナンスコスト）がある。ウォーターサーバーも、業者との契約になるので、コストが発生するし、カビ発生防止等の衛生面からサーバーのメンテナンスが欠かせない。したがって、これら冷水器やウォーターサーバーは、一定のコストが発生している上、面倒なメンテナンスも必要となっている。
【０００６】
冷水器やウォーターサーバーは、事業所にとっては、所属者や来訪者への福利厚生ないしは無料サービスである。このような福利厚生や無料サービスが上記備蓄非常用飲料によって行えれば、発生していたコストは無くなるし、非常用飲料の備蓄に要した費用も無駄にはならない。
本願の発明は、このような点を考慮して為されたものであり、事業所において備蓄された非常用飲料を福利厚生や無料サービスの一環として所属者や来訪者に提供するのに好適に利用されるツールを提供する意義を有するものである。
【課題を解決するための手段】
【０００７】
上記課題を解決するため、本願の請求項１記載の発明は、災害を考慮して備蓄されている非常用飲料を提供する非常用飲料提供装置であって、
前面扉を有する筐体と、
筐体内に設けられた商品収容部及び商品払出機構と、
前面扉に設けられた複数の商品選択ボタンと、商品取り出し口と、金銭投入部と
を備えており、
筐体内には、商品選択ボタンで選択された商品と金銭投入部から投入された金銭とに従って商品払出機構を制御する制御部が設けられており、
商品収容部は、備蓄された非常用飲料を収容可能であるとともに非常用飲料以外の有料飲料を収容可能なものであり、
筐体には、有料モードと無料モードとを切り替えるモード切替スイッチが設けられていて、モード切替スイッチは、当該自動販売機の利用者が自由に切り替えることができるものであり、
複数の商品選択ボタンは、非常用飲料以外の有料販売商品を選択する有料商品選択ボタンと、非常用飲料を選択する無料商品選択ボタンとから成っており、
制御部は、有料モードとなっている際に有料商品選択ボタンが押された場合には、当該有料販売商品の販売金額以上の金銭が金銭投入部から投入されたのを検知したことを受けて商品払出機構を制御し、当該有料商品選択ボタンに対応した位置に収容されている有料販売商品を払い出させるものであり、無料モードとなっている際に無料商品選択ボタンが押された場合には、金銭投入部における金銭投入を確認することなく商品払出機構を制御し、当該無料商品選択ボタンに対応した位置に収容されている非常用飲料を払い出させるものであるという構成を有する。
また、上記課題を解決するため、請求項２記載の発明は、前記請求項１の構成において、前記前面扉には、無料モードである旨を表示するモード表示部が設けられており、前記制御部は、前記モード切替スイッチにより無料モードとされた際にモード表示部を動作させる制御を行うものであるという構成を有する。
また、上記課題を解決するため、請求項３記載の発明は、前記請求項１又は２の構成において、前記制御部は、前記モード切替スイッチにより有料モードから無料モードに切り替えられた後、設定時間が経過した際に有料モードに自動的に復帰する制御を行うものであるという構成を有する。
また、上記課題を解決するため、請求項４記載の発明は、前記請求項１乃至３いずれかの構成において、前記制御部は、所定時間内の前記非常用飲料の払出回数を制限する制御を行うものであるという構成を有する。
また、上記課題を解決するため、請求項５記載の発明は、前記請求項１乃至４いずれかの構成において、認証情報を入力させる認証情報入力手段が設けられており、
前記モード切り替えスイッチにはロック手段が設けられており、
前記制御部は、ロック手段を制御するものとなっており、認証情報入力手段において正しく認証情報が入力された場合に、ロック手段を解除して前記モード切替スイッチを切り替え可能とするものであるという構成を有する。
また、上記課題を解決するため、請求項６記載の発明は、前記請求項５の構成において、演算処理部と、記憶部とを備えており、
前記認証情報には、利用者識別情報が含まれており、
演算処理部は、前記認証情報入力手段で認証情報が入力されて前記制御部によりロック手段が解除され、前記モード切替スイッチが切り替えられて無料商品選択ボタンが押された際、当該払出の日時と払出個数の情報を含む無料払出実績情報とを記憶部に記憶するものであるという構成を有する。
また、上記課題を解決するため、請求項７記載の発明は、前記請求項１乃至６いずれかの構成において、演算処理部と、記憶部とを備えており、
前記前面扉には、無料払出実績情報を表示する実績表示部が設けられており、
演算処理部は、前記モード切替スイッチが切り替えられて無料商品選択ボタンが押された際、当該払出の日時と当該払出の個数を含む無料払出実績情報を記憶部に記憶するものであり、
演算処理部は、装置の稼働中、直近における無料払出実績情報を記憶部から読み出して実績表示部に表示するものであるという構成を有する。
【０００８】
また、上記課題を解決するため、請求項８記載の発明は、自動販売機の発明であり、
前面扉を有する筐体と、
筐体内に設けられた商品収容部及び商品払出機構と、
前面扉に設けられた複数の商品選択ボタンと、商品取り出し口と、金銭投入部と
を備えた自動販売機であって、
筐体内には、商品選択ボタンで選択された商品と金銭投入部から投入された金銭とに従って商品払出機構を制御する制御部が設けられており、
筐体には、有料モードと無料モードとを切り替えるモード切替スイッチが設けられていて、モード切替スイッチは、当該自動販売機の利用者が自由に切り替えることができるものであり、
複数の商品選択ボタンは、有料販売商品を選択する有料商品選択ボタンと、無料販売商品を選択する無料商品選択ボタンとから成っており、
制御部は、有料モードとなっている際に有料商品選択ボタンが押された場合には、当該有料販売商品の販売金額以上の金銭が金銭投入部から投入されたのを検知したことを受けて商品払出機構を制御し、当該有料商品選択ボタンに対応した位置に収容されている有料販売商品を払い出させるものであり、無料モードとなっている際に無料販売商品ボタンが押された場合には、金銭投入部における金銭投入を確認することなく商品払出機構を制御し、当該無料商品選択ボタンに対応した位置に収容されている無料販売商品を払い出させるものであるという構成を有する。
また、上記課題を解決するため、請求項９記載の発明は、前記請求項８の構成において、前記前面扉には、無料モードである旨を表示する表示部が設けられており、前記制御部は、前記モード切替スイッチにより無料モードとされた際に表示部を動作させる制御を行うものであるという構成を有する。
また、上記課題を解決するため、請求項１０記載の発明は、前記請求項８又は９の構成において、前記制御部は、前記モード切替スイッチにより有料モードから無料モードに切り替えられた後、設定時間が経過した際に有料モードに自動的に復帰する制御を行うものであるという構成を有する。
また、上記課題を解決するため、請求項１１記載の発明は、前記請求項８乃至１０いずれかの構成において、前記制御部は、所定時間内の前記無料販売商品の払出回数を制限する制御を行うものであるという構成を有する。
また、上記課題を解決するため、請求項１２記載の発明は、前記請求項８乃至１１いずれかの構成において、認証情報を入力させる認証情報入力手段が設けられており、
前記モード切り替えスイッチにはロック手段が設けられており、
前記制御部は、ロック手段を制御するものとなっており、認証情報入力手段において正しく認証情報が入力された場合に、ロック手段を解除して前記モード切替スイッチを切り替え可能とするものであるという構成を有する。
また、上記課題を解決するため、請求項１３記載の発明は、前記請求項１２の構成において、演算処理部と、記憶部とを備えており、
前記認証情報には、利用者識別情報が含まれており、
演算処理部は、前記認証情報入力手段で認証情報が入力されて前記制御部によりロック手段が解除され、前記モード切替スイッチが切り替えられて無料商品選択ボタンが押された際、当該払出の日時と払出個数の情報を含む無料払出実績情報とを記憶部に記憶するものであるという構成を有する。
また、上記課題を解決するため、請求項１４記載の発明は、前記請求項８乃至１３いずれかの構成において、演算処理部と、記憶部とを備えており、
前記前面扉には、無料払出実績情報を表示する実績表示部が設けられており、
演算処理部は、前記モード切替スイッチが切り替えられて無料商品選択ボタンが押された際、当該払出の日時と当該払出の個数を含む無料払出実績情報を記憶部に記憶するものであり、
演算処理部は、装置の稼働中、直近における無料払出実績情報を記憶部から読み出して実績表示部に表示するものであるという構成を有する。
【発明の効果】
【０００９】
以下に説明する通り、本願の請求項１記載の発明によれば、非常用飲料が無料で所属者や来訪者に提供されるので、備蓄していた非常用飲料が賞味期限を過ぎてしまって廃棄しなければならなくなる無駄が防げる。その上、非常用飲料の提供は、冷水器やウォーターサーバーによる飲料水の提供の代替手段となるので、冷水器やウォーターサーバーの設置を取りやめることができる。したがって、トータルで見ると、非常用飲料の備蓄のために大きなコストはかからず、非常用飲料を備蓄するインセンティブとなる。このため、自治体からの非常用飲料の備蓄の要請に対して、積極的に応じることが可能となる。その上、モード切替スイッチを操作しないと商品選択ボタンを押しても非常用飲料が払い出されないので、誤って非常用飲料を払い出してしまうのが抑制される。
また、請求項２記載の発明によれば、上記効果に加え、有料モードか無料モードかが表示されるので、無料モードになっているのを知らずに有料商品選択ボタンを押して商品を購入しようとしたり、有料モードになっているのを知らずに無料商品選択ボタンを押して非常用飲料を払い出そうとしたりすることが少なくなり、利用者がイライラすることが無くなる。
また、請求項３記載の発明によれば、上記効果に加え、設定時間が経過した際に有料モードに自動的に復帰するので、非常用飲料が誤って払い出されたり、次の利用者がイライラしたりする問題がさらに防止される。
また、請求項４記載の発明によれば、上記効果に加え、所定時間内の非常用飲料の払出回数が制限されるので、不正な利用がさらに抑制される。
また、請求項５記載の発明によれば、上記効果に加え、認証情報が正しく入力された場合に限りロックが解除されて非常用飲料が払い出されるので、不正な利用がさらに抑制ｓれる。
また、請求項６記載の発明によれば、上記効果に加え、非常用飲料の払出日時と払出個数が記憶部に記憶されるので、不正な払出と推測される払出実績を後から確認することができ、不正な利用の抑制に利用することができる。
また、請求項７記載の発明によれば、上記効果に加え、非常用飲料の払出実績が表示されるので、事業所の所属者が払出実績を視認することができる。このため、払出が各所属者に監視された状態となり、不正な払出がさらに抑制できる。
また、請求項８乃至１４記載の発明によれば、上記各効果を有する自動販売機が提供され、非常用飲料以外の商品を無料提供する際にも同様の効果を得ることができる。その上、自動販売機のメンテナンスは自動販売機の営業会社が行うようにすることができるので、事業所の負担がさらに軽減される。
【図面の簡単な説明】
【００１０】
【図１】本願発明の第一の実施形態の非常用飲料提供装置の斜視概略図である。
【図２】図１に示す装置における制御ブロックの概略図である。
【図３】本願発明の第二の実施形態の非常用飲料提供装置の斜視概略図である。
【図４】タブレットコンピュータを含む第二の実施形態の装置における制御ブロックの概略図である。
【図５】払出管理プログラムの概略を示したフローチャートである。
【図６】払出管理プログラムによる払出実績情報の表示状態の一例を示した概略図である。
【発明を実施するための形態】
【００１１】
次に、本願発明を実施するための形態（以下、実施形態）について説明する。
まず、第一の実施形態の非常用飲料提供装置について説明する。図１は、本願発明の第一の実施形態の非常用飲料提供装置の斜視概略図である。この実施形態では、自動販売機を非常用飲料提供装置として兼用するものとなっており、実施形態の装置は清涼飲料の自動販売機でもある。即ち、以下の説明は、非常用飲料提供装置の実施形態の説明であるが、自動販売機の実施形態の説明でもある。
非常用飲料提供装置は、前面扉１１を有する筐体１を備えている。図１の（１）は前面扉１１を閉じた状態、（２）は開いた状態を示す。
【００１２】
図１（１）に示すように、前面扉１１には、下側位置に商品取り出し口１２が設けられている。前面扉１１の上側位置には、販売している商品の見本を表示した見本表示部２が設けられている。そして、各商品見本の下側の位置には、複数の商品選択ボタン３１，３２が設けられており、前面扉１１の中ほどの高さの位置には金銭投入部４が設けられている。金銭投入部４は、金銭投入口４１から投入された金銭が真正なものであるかどうかを点検する機構、真正なものである場合にその合計の金額を検出する機構を含んでいる。そして、金銭投入口４１の下側の位置には、釣り銭払い出し口１３が形成されている。
【００１３】
また、図１（２）に示すように、筐体１内には、商品収容部５と、商品払出機構６とが設けられている。これらの機構や部位は、清涼飲料を販売する通常の自動販売機と同様なので、詳細な図示及び説明は省略する。尚、見本表示部２は、商品の写真を表示するパネルや液晶ディスプレイであり得るし、金銭投入部４は、非接触ＩＣカードや携帯電話による電子マネーのリーダーであり得る。
【００１４】
図２は、図１に示す装置における制御ブロックの概略図である。筐体１内には、商品払出機構６を制御する主制御部７が設けられている。主制御部７は、通常、前面扉１１の裏面に搭載されている。主制御部７は、商品選択ボタン３１，３２で選択された商品と金銭投入部４から投入された金銭とに従って商品払出機構６を制御するもので、選択された商品の価格以上の金銭が投入されたことが金銭投入部４で検出されると、商品払出機構６を制御して当該商品を取り出し口に払い出す。これらの制御も、通常の自動販売機におけるものと同様なので、詳細な説明は省略する。
【００１５】
図１（１）に示すように、実施形態の装置は、前面扉１１には、モード切替スイッチ８１が設けられている。モード切替スイッチ８１は、有料モードと無料モードとを切り替えるものである。この実施形態では、モード切替スイッチ８１は押しボタンとなっている。
複数の商品選択ボタン３１，３２は、有料販売商品を選択する有料商品選択ボタン３１と、無料販売商品を選択する無料商品選択ボタン３２とから成っている。
筐体１内には、モード制御部８が設けられている。図１（２）に示すように、この実施形態では、モード制御部８は、前面扉１１の裏面に取り付けられている。
【００１６】
図２に示すように、モード切替スイッチ８１は、モード制御部８を介して主制御部７に接続されている。この実施形態では、自販機メーカーから販売されている装置を改造する形で構成されているので、主制御部７に対してモード制御部８が追加された構成となっている。
モード制御部８は、モード設定回路８２と、タイマー回路８３と、ボタン制御回路８４と、ランプ制御回路８５とを有している。
モード設定回路８２は、モード切替スイッチ８１からの入力に従って有料モードか無料モードかを選択して保持する回路である。通常は有料モードが設定されるようになっており、モード切替スイッチ８１が一回押されると、無料モードとなり、無料モードの状態でモード切替スイッチ８１がもう一度押されると、有料モードに復帰する。
タイマー回路８３は、モード設定回路８２に接続されている。モード設定回路８２は、モード切替スイッチ８１が押されて無料モードになった際にタイマー回路８３を動作させる。そして、タイマー回路８３で設定される時間が経過すると、モード設定回路８２は自動的に有料モードに復帰するよう構成されている。
【００１７】
図２に示すように、各商品選択ボタン３１，３２は、主制御部７に接続されている。各接続ラインは、各商品選択ボタン３１，３２の駆動用の電力供給も含んでいる。各商品選択ボタン３１，３２は、商品の選択が可能なことを示すランプ（例えばＬＥＤ）を有しており、駆動用の電力にはランプ用の電力も含まれる。
このような各商品選択ボタン３１，３２への接続ライン上には、オンオフスイッチ８６が設けられている。そして、モード制御部８のボタン制御回路８４から各オンオフスイッチ８６に制御ラインが接続されており、オンオフスイッチ８６はボタン制御回路８４で制御されるようになっている。
尚、図２に示すように、主制御部７からの制御ラインは、無料商品選択ボタン３２にも接続されている。主制御部７内には、各商品選択ボタン３１，３２に対応して価格を設定する価格設定回路７１が設けられている。各無料商品選択ボタン３２については、０円の価格が予め設定される。
【００１８】
また、図１（１）に示すように、前面扉１１には、モード表示部８７が設けられている。モード表示部８７は、この実施形態では二つのランプ（例えばＬＥＤ）であり、一方が有料モード（通常のモード）であることを表示するランプ（以下、有料ランプ）８７１であり、他方が無料モードであることを表示するランプ（以下、無料ランプ）８７２である。
モード制御部８のランプ制御部からモード表示部８７にも制御ラインが接続されており、モード表示部８７はランプ制御回路８５で制御される。モード制御部８は、有料モードの際には有料ランプ８７１を点灯させて無料ランプ８７２を消灯し、無料モードの際には有料ランプ８７１を消灯して無料ランプ８７２を点灯するよう構成されている。
このようなモード制御部８は、論理回路素子等を適宜使用して構成できるので、さらなる詳細な説明は省略する。
【００１９】
次に、このような実施形態の非常用飲料提供装置の動作について説明する。
前述したように、各事業所において非常用飲料の備蓄が要請されている。非常用飲料は、事業所内の倉庫のような特定の場所で備蓄される。一方、実施形態の非常用飲料提供装置は、自動販売機でもあり、事業所の所属者や来訪者が利用可能な場所に設置されている。所属者とは、企業や団体の場合には従業員ということになるし、病院の場合には入院患者が含まれ、大学の場合には学生が含まれる。
【００２０】
自動販売機でもある非常用飲料提供装置は、通常、事業所以外の会社（以下、自販機営業会社）が保有し、管理する。自販機営業会社は、非常用飲料提供装置設置の許可を取り、指定された箇所に装置を設置する。
非常用飲料提供装置の商品収容部５のうち、有料商品の収容部には、自販機営業会社が販売する通常の商品が収容される。そして、無料商品の収容部には、当該事業所に備蓄されていた非常用飲料が収容される。収容される非常用飲料は、賞味期限の到来が近づいているものである。尚、非常用飲料は、ペットボトル入りの水やミネラルウォーターである。これら非常用飲料は、通常のペットボトル入りの水やミネラルウォーターが非常用として提供される場合もあり、非常用として製造されていてボトルに明記されている場合もある。いずれの場合も、ボトルの形状としては通常の清涼飲料と大差はなく、特に改変することなく商品収容部５で収容が可能である。
【００２１】
装置の主電源が投入されて装置の稼働が開始されると、モード制御部８のモード設定回路８２では、初期値として有料モードが設定される。このため、有料商品選択ボタン３１は通常通り点灯した状態であり、無料商品選択ボタン３２は消灯された状態である。
事業所の所属者や来訪者は、装置を通常の自動販売機として利用し得る。即ち、有料ランプ８７１が点灯しており、通常の自動販売機と同様に任意の有料商品選択ボタン３１を押し、金銭を投入して商品を購入する。
一方、装置の前面扉１１には、備蓄された非常用飲料を無料提供している旨の表示部（例えばステッカーの貼り付け）がされており、こでの表示には、提供を希望する場合にはモード切替スイッチ８１を押して欲しい旨が含まれている。
【００２２】
利用者は、この表示を見て、非常用飲料を欲する場合、モード切替スイッチ８１を押す。この結果、モード制御部８内のモード設定回路８２は、有料モードから無料モードに設定を切り替える。これにより、ランプ制御回路８５は、有料ランプ８７１を消灯し、無料ランプ８７２を点灯させる。また、ボタン制御回路８４は、各有料商品選択ボタン３１への接続ライン上のオンオフスイッチ８６をオフにするとともに、各無料商品選択ボタン３２への接続ライン上のオンオフスイッチ８６をオンにする。この結果、各有料商品選択ボタン３１が消灯して動作不能となり、各無料商品選択ボタン３２が点灯して動作可能となる。
【００２３】
利用者は、この状態で無料商品選択ボタン３２を押す。この結果、無料商品として非常用飲料が商品取り出し口１２に払い出される。この際、主制御部７の価格設定回路では、無料商品選択ボタン３２に対応して０円が設定されているので、主制御部７は、金銭投入部４での金銭投入を確認することなくそのまま払い出し機構を制御して非常用飲料を商品取り出し口１２に払い出す制御を行う。
【００２４】
尚、利用者は、その後に有料商品の購入を希望する場合、モード切替スイッチ８１をもう一度押す。これにより、モード制御部８内のモード設定回路８２において有料モードが設定される。この結果、ボタン制御回路８４により無料商品選択ボタン３２がオフし、有料商品選択ボタン３１がオンとなる。また、ランプ制御回路８５により、無料ランプ８７２が消灯し、有料ランプ８７１が点灯する。そして、利用者は、いずれかの有料商品選択ボタン３１を押し、有料商品を購入する。
【００２５】
また、モード切替スイッチ８１が押されて無料モードに切り替わると、モード制御部８内のタイマー回路８３が動作し、設定時間が経過した際、モード設定回路８２が強制的に（自動的に）無料モードに切り替える。このため、利用者が無料商品選択ボタン３２を押して非常用飲料の提供を受けた後、そのまま装置から離れると、設定時間の経過後には無料ランプ８７２が消灯して有料ランプ８７１が点灯し、各無料商品選択ボタン３２が消灯して各有料商品選択ボタン３１が点灯する。
【００２６】
所属者や来訪者により、上記のような非常用飲料提供装置の利用が繰り返される。そして、自販機営業会社のルートサービスマンは、定期的に事業所を訪問し、非常用飲料提供装置への有料商品の補充や、販売代金の回収等のメンテナンスを行う。尚、前面扉１１には、鍵穴１５が設けられており、ルートサービスマンは鍵を開けて前面扉１１を開き、メンテナンスの作業を行う。
この際、ルートサービスマンは、当該事業所で備蓄されている非常用飲料の補充も行う。即ち、ルートサービスマンは、非常用飲料の備蓄場所（例えば倉庫）の鍵を担当部署から借りる。そして、備蓄されている非常用飲料のうち賞味期限が近づいているものを取り出し、装置に補充する。
【００２７】
上述した実施形態の非常用飲料提供装置によれば、非常用飲料が無料で所属者や来訪者に提供されるので、備蓄していた非常用飲料が賞味期限を過ぎてしまって廃棄しなければならなくなる無駄が防げる。その上、非常用飲料の提供は、冷水器やウォーターサーバーによる飲料水の提供の代替手段となるので、冷水器やウォーターサーバーの設置を取りやめることができる。したがって、トータルで見ると、非常用飲料の備蓄のために大きなコストはかからず、非常用飲料を備蓄するインセンティブとなる。このため、自治体からの非常用飲料の備蓄の要請に対して、積極的に応じることが可能となる。
【００２８】
上記実施形態の非常用飲料提供装置において、モード切替スイッチ８１は幾つかの重要な意義を有している。
非常用飲料を単に自動販売機で提供するだけであれば、非常用飲料の商品選択ボタン３１，３２に対応して販売価格を０円にすることになる。これでも良いのであるが、０円であると、ボタンを押しただけですぐに品物が出てきてしまう。このため、例えば自動販売機の前面扉１１に人が寄りかかる等して誤ってボタンを押すと、すぐに非常用飲料が出てきてしまう。つまり、誤動作の可能性が高い。
この実施形態では、通常は有料モードで動作し、モード切替スイッチ８１が押された場合のみ無料モードで動作する。非常用飲料を取り出すためには、モード切替スイッチ８１を押して無料モードにした後、さらに無料商品選択ボタン３２を押す必要がある。このため、寄りかかる等して誤って非常用飲料を払い出してしまう誤動作は少ない。
【００２９】
また、有料モードか無料モードかが表示されるので、無料モードになっているのを知らずに有料商品選択ボタンを押して商品を購入しようとしたり、有料モードになっているのを知らずに無料商品選択ボタンを押して非常用飲料を払い出そうとしたりすることが少なくなり、利用者がイライラすることが無くなる。
また、設定時間が経過した際に有料モードに自動的に復帰するので、無料モードのまま放置されることがなくなる。このため、寄りかかる等して誤って無料商品選択ボタンが押されることで非常用飲料が誤って払い出されることがなくなる。また、無料モードのままだと、次の利用者が有料モードだと思って有料商品選択ボタンを押してしまい、イライラすることがあり得るが、この実施形態ではこのような問題はない。
【００３０】
また、単に、価格を無料にしただけであると、不正な利用もされ易くなる。即ち、無料ボタン（非常用飲料の商品選択ボタン３２）を繰り返し押すことで、非常用飲料を何本も取り出すことができる。このため、非常用飲料を大量に取り出して転売する（いわゆる横流し）といった不正がされ易くなる。しかし、この実施形態の装置では、非常用飲料を取り出すためには、モード切替スイッチ８１を押して無料モードにした後、さらに無料商品選択ボタン３２を押す必要があり、面倒である。面倒ではあるが、この面倒さが不正を抑制する効果もある。
【００３１】
また、無料モードに切り替えられてから設定時間が経過すると強制的に有料モードに切り替えられる。設定時間をある程度短い時間（例えば１本の非常用飲料を取り出すのに要する時間）に設定すると、多くの非常用飲料を取り出そうした場合、モード切替スイッチ８１を毎回押す必要がある。このため、不正な取り出しがしづらくなる。
場合によっては、モード制御部８に、無料商品選択ボタン３２による商品の取り出し回数を監視する回路を設け、取り出し回数に上限を設定しても良い。例えば、連続した（即ち、所定の短いタイムラグでの）非常用飲料の取り出し回数を５回に設定し、無料商品選択ボタン３２の押下が５回に達したら、長いタイムラグ（例えば１分程度）経過しないとモード切替スイッチ８１を押しても無料モードに切り替えられない構成としても良い。
【００３２】
次に、第二の実施形態の非常用飲料提供装置について説明する。
図３は、本願発明の第二の実施形態の非常用飲料提供装置の斜視概略図である。この実施形態でも、自動販売機を非常用飲料提供装置として兼用するものとなっており、実施形態の装置は清涼飲料の自動販売機でもある。同様に、非常用飲料提供装置は、前面扉１１を有する筐体１を備えており、図３の（１）は前面扉１１を閉じた状態、（２）は開いた状態を示す。
【００３３】
第二の実施形態の装置は、第一の実施形態の装置に対し、情報の入力機能や記憶機能、無料払出の際の認証機能、無料払出に関する情報の表示機能等を付加した構成となっている。これらの機能を付加するため、第二の実施形態の装置は、コンピュータ９を追加で搭載している。コンピュータ９は、この実施形態では汎用のタブレットコンピュータ（ＴＣ）となっている。
【００３４】
具体的に説明すると、図３（１）に示すように、前面扉１１には、方形のＴＣ用開口１０が形成されている。前面扉１１の内側面には、ＴＣ用開口１０の縁に沿ってコ状の保持枠１４が固定されている。保持枠１４の幅は、タブレットコンピュータ９の幅に適合している。図２に示すように、前面扉１１の内側においてタブレットコンピュータ９を上側から保持枠１４に差し込むことで保持枠１４に装着される。
【００３５】
図３に示すように、ＴＣ用開口１０は、前面扉１１において、見本表示部２を横のスペースに設けられている。ＴＣ用開口１０は、タブレットコンピュータ９の全体の大きさよりも少し小さい方形である。図１に示すように、タブレットコンピュータ９は、保持枠１４に装着されると、前面のディスプレイがＴＣ用開口１０を通して視認される状態となる。
タブレットコンピュータ９は、カメラ９５を標準装備したものである。カメラ９５のレンズも、ＴＣ用開口１０を通して露出しており、ＴＣ用開口１０を通して撮像可能となっている。
【００３６】
図４は、タブレットコンピュータ９を含む第二の実施形態の装置の制御ブロック図である。
この実施形態においても、商品払出機構６を制御する主制御部７と、モード切替スイッチ８１を制御するモード制御部８とが設けられている。また、タブレットコンピュータ９は、ＣＰＵである演算処理部９１と、メモリやハードディスクである記憶部９２と、ディスプレイ９３と、ディスプレイ９３をタッチスクリーンとして構成した入力部９４と、カメラ９５と、ＵＳＢのようなインターフェース部９６とを備えている。
【００３７】
この実施形態では、タブレットコンピュータ９は、まず、認証情報を入力させる認証情報入力手段を構成するものとなっている。認証情報の入力は、非常用飲料の無料提供を考慮したものであり、横流しのような不正を防止する観点で追加されている。
認証情報は、簡便なものから複雑なものまで、各種のものを想定し得る。もっとも簡便なものとしては、共通のアクセス情報としておき、限られた利用者のみアクセス情報を入力できるようにすることが考えられる。例えば、ある事業所の所属者（会社であれば従業員）にのみアクセス情報を開示し、所属者はそのアクセス情報を入力して非常用飲料の無料提供を受けることができるものの、来訪者についてはアクセス情報を開示せず、無料提供ができないようにすることが考えられる。
【００３８】
また、各利用者に対して異なる認証情報を開示し、各利用者を特定できる状態で認証情報を提供する場合も考えられる。例えば、所属者に個別にＩＤを付与し、ＩＤをこの装置の認証情報とする。さらに、所属者の側でパスワードを任意に設定できるようにしても良い。
認証情報入力手段は、タッチスクリーンであるディスプレイ９３からキーボード（ソフトエアキーボード）で入力しても良いが、たかだか非常用飲料の無料提供のためにそのようにするのは煩雑である。認証情報の入力をカード読み取り式にすることも想定し得る。例えば、タブレットコンピュータ９に、ＩＣカードリーダをインターフェース部９６を介して接続し、ＩＣカードリーダのカード挿入口を前面扉１１上に露出して設ける。認証情報をＩＣカードに書き込んでおき、各所属者に配布し、使用してもらう。この構成も技術的には可能であるが、非常用飲料の無料提供という目的を考えると、コストがかかり過ぎである。
【００３９】
簡便なのは、ＱＲコード（株式会社デンソーウェーブの登録商標）のようなコードシンボルをシールに印刷し、各所属者に配布する構成である。例えば、タブレットコンピュータ９の演算処理部９１で実行される認証用のプログラムやスクリプトの実行コードを含むコードをＱＲコードにし、シールに印刷する。そして、名刺サイズの紙片にシールを貼り付け、各所属者に配布する。各所属者は、配布された紙片を取り出し、ＱＲコードをタブレットコンピュータ９のカメラ９５に読み取らせる。この結果、認証用のプログラムが起動し、認証が行われる。この構成の場合、タブレットコンピュータ９が備えるカメラ９５が認証情報入力手段ということになる。
以下、認証情報がＱＲコードの形で各所属者に提供された情報であり、認証情報入力手段がタブレットコンピュータ９のカメラ９５であることを前提にして説明する。尚、ＱＲコードを印刷したシールを貼り付けした紙片を、以下、認証カードと呼ぶ。
【００４０】
認証情報入力手段の採用に伴い、モード切替スイッチ８１にはロック手段が付設されている。ロック手段は、ソフトウェア的なものも採用し得るが、この実施形態では、ロック機構となっている。ロック機構８８は、モード切替スイッチ８１が押しボタンである場合、ボタンの駆動電力供給をオフする機構を採用し得る。モード切替スイッチ８１がレバースイッチである場合、プランジャのような機構によりロックする機構が採用され得る。
【００４１】
一方、タブレットコンピュータ９には、払出管理プログラムが実装されている。払出管理プログラムは、非常用飲料の無料提供のための認証、払出実績情報の記憶や表示を行うプログラムである。払出管理プログラムは、装置の稼働中、常時実行された状態となる。実施形態の装置は、自動販売機でもある。自動販売機を管理する自販機営業会社のルートサービスマンは、タブレットコンピュータ９の電源を入れ、払出管理プログラムを実行状態とし、保持枠１４に装着する。
【００４２】
また、記憶部９２には、払出実績情報を記憶するデータベースファイル（以下、実績情報ファイル）が記憶されている。実績情報ファイルは、「払出日時」、「払出個数」、「利用者識別情報」等のフィールドから成るレコードを多数記録するデータベースファイルである。
図５は、払出管理プログラムの概略を示したフローチャートである。また、図６は、払出管理プログラムによる払出実績情報の表示状態の一例を示した概略図である。
【００４３】
払出管理プログラムは、起動後、実績情報ファイルを開き、直近の非常用飲料の払出実績情報を表示する。例えば、１０件を最大の表示件数とし、払出日時が現在日時に近い順から１０件のレコードの情報を実績情報ファイルから読み取り、図６に示すようにリスト表示する。ここでは、払出日時と払出個数とが表示されるようになっており、利用者識別情報は表示しない。
【００４４】
その後、払出管理プログラムは、認証情報の入力待ちの状態となる。タブレットコンピュータ９のカメラがＱＲコードを読み取り、当該ＱＲコードに含まれるコードが正しい場合、認証イベントが発生する。認証カードに表示されたＱＲコードは、払出管理プログラムにおいて認証イベントを発生させるコードと、所属者識別情報とが含まれている。
図５に示すように、認証イベントが発生すると、払出管理プログラムは、ＱＲコードに含まれる利用者識別情報を読み取る。そして、渡された所属者識別情報をメモリ変数に一時的に記憶するとともに、主制御部７に対し、認証完了の出力をする。
【００４５】
また、ディスプレイ９３上の払出実績情報の表示を中止し、「非常用飲料が無料で受け取れます。」というような認証完了の表示をする。その後、払出管理プログラムは、タイマーをスタートさせる。そして、主制御部７から非常用飲料の払出完了信号の入力があるかどうかモニタする。払出完了信号の入力があるたびにカウンタに１を加えて更新する。
【００４６】
そして、タイマーが設定時間に達すると、主制御部７に対し、設定時間経過を出力する。そして、カウンタのカウントが０でない場合、カウント数と、メモリ変数に記憶した利用者識別情報と、払出日時とを実績情報ファイルに記録する。カウント数は「払出個数」のフィールドに記録し、認証イベントの発生日時を「払出日時」のフィールドに記録する。各フィールドに情報を記録し、実績情報ファイルを更新する。その後、払出管理プログラムは、更新された実績情報ファイルから情報を取得し直し、直近の１０件の実績情報をリスト化して表示する。
【００４７】
一方、主制御部７は、タブレットコンピュータ９とＵＳＢインターフェース部９６を介して接続されている。また、ロック機構８８は、主制御部７に対し制御ラインでつながれており、主制御部７によって制御されようになっている。払出管理プログラムから認証完了が主制御部７に出力されると、主制御部７は、ロック機構８８に制御信号を送り、ロックを解除する。これにより、モード切替スイッチ８１は動作可能となる。その後の制御は、前述した第一の実施形態と同様である。尚、設定時間経過の出力が払出管理プログラムから主制御部７にあった場合、主制御部７は、前述したようにモード切替スイッチ８１を自動的に駆動して有料モードに戻す。この際、主制御部７は、ロック機構８８を再び動作させ、ロック状態とする。
【００４８】
この実施形態の非常用飲料提供装置では、自販機営業会社が、事業所の所属者の数に相当する分の認証カードを作成し、事業所に提供する。認証カードには、通し番号が付されている。事業所の担当部署の者は、各所属者に認証カードを一枚ずつ交付するが、この際、どの番号のカードをだれに交付したか確認できるような一覧表を作っておく。通し番号は、利用者識別番号の一部となっており、例えば事業所ＩＤ＋通し番号を利用者識別番号とされる。
【００４９】
事業所の所得者は、交付された認証カードを使用し、モード切替スイッチ８１のロックを解除して非常用飲料の提供を受ける。この際、払出管理プログラムは、払出実績情報ファイルに新たにレコードを追加し、利用者識別番号、払出日時、払出個数の情報を記録する。そして、払出実績情報ファイルを更新し、更新された内容で直近の払出実績情報をリスト表示する。
【００５０】
この実施形態では、認証情報入力手段で入力された認証情報が正しい場合に限って非常用飲料の無料提供が行われるので、横流しといった不正が抑制される。その上、認証情報に利用者識別情報が含まれているので、一回に大量の非常用飲料を払い出すといった不正と推測される払出を行った者を後から特定することができる。このような点を事前に利用者に周知しておけば、不正がさらに抑制できる。
【００５１】
そして、この実施形態では、非常用飲料の無料提供実績が表示されるので、一回の大量の非常用飲料を払い出した実績もディスプレイ９３で視認される。ディスプレイ９３は、事業所の所属者がこの非常用飲料提供装置（自動販売機）を利用するたびに目につくので、大量の払出が行われると、すぐ誰かの目につくことになる。このため、装置の担当部署の者又は自販機営業会社にに連絡がされ、払出実績情報ファイルがチェックされ、大量の払出を行った者の特定作業が行われることになる。このような点を利用者に事前に知らせておけば、さらに不正が抑制できる。
【００５２】
上述した各実施形態について、自動販売機の発明の実施形態として見ると、本願発明は、非常用飲料以外の飲料や食料について無料提供する場合にも適用できる。例えば、冷水器やウォーターサーバーの代わりであるからと、非常用ではない通常のミネラルウォーターを無料にして販売する場合もある。また、水分の消耗の激しい現場（建設現場やある種の工場等）でも、ミネラルウォーターを無料にして販売する場合がある。このような場合、実施形態の自動販売機を好適に利用することができる。
さらには、来客用の認証カードを作っておき、来客があった際に渡して使ってもらう場合もあり得る。この場合には、日本茶やコーヒー等、他の清涼飲料についても無料にする場合もある。この場合、この認証カードで認証がされると、ボタン制御回路８４は、無料商品選択ボタン３２のオンオフスイッチ６２をオンにするとともに、有料商品選択ボタン３１をオンにしたままの状態とし、且つ主制御部７は各有料商品選択ボタン３１の価格を０円にするよう価格設定回路７１での設定を変更する。
【００５３】
また、自動販売機については、クッキーやビスケット等の食料を販売するものも増えてきている。これら食料も非常用として備蓄されることが多く、賞味期限が近づいてきたものを同様に自動販売機において無料提供することも考えられる。この場合も、本願発明の自動販売機を用いることができる。
尚、上記実施形態において、モード切替スイッチ８１は押しボタンであったが、レバースイッチのような押しボタン以外のものであっても良い。誤動作を防止する観点からは、レバースイッチのような押しボタン以外のスイッチの方が好適である。
【００５４】
また、上記各実施形態では、市販の自動販売機を改造して実施形態の非常用飲料提供装置とするものであったため、モード制御部８を後付けで設け、各商品選択ボタン３１，３２への接続ラインに設けたオンオフスイッチ８６をモード制御部８で制御する構成としたが、モード切替スイッチ８１を主制御部７に直接つなげて主制御部７が各商品選択ボタン３１，３２をモードに従って制御する構成であっても良い。この場合、主制御部７は、有料モードの際には各有料商品選択ボタン３１を動作可能な状態とするともに各無料商品選択ボタン３２を動作不能の状態とし、無料モードの際には各有料商品選択ボタン３１を動作不納の状態とするともに各無料商品選択ボタン３２を動作可能な状態とするよう制御する。
【００５５】
演算処理部や記憶部、認証情報入力部についても同様であり、タブレットコンピュータ９を後から追加する構成の他、主制御部７について認証や払出情報の記憶が行われるよう当初から設計して構成してもよい。また、液晶ディスプレイを備える自動販売機も多くなってきているが、標準として備えるディスプレイで払出実績情報を表示してもよい。また、モード表示部８７についても、標準装備のディスプレイをモード表示部８７として使用してもよい。
【００５６】
尚、タブレットコンピュータ９を追加する構成では、主制御部７との情報のやりとりはBluetoothのような無線通信で行う場合もある。
また、コンピュータ９は、タブレット型の他、ノート型でもよく、各種産業機器で使用される制御用コンピュータを装備してもよい。
尚、モード切替スイッチ８１は、前面扉１１に設けられている必要はなく、筐体１の外面に設けられていても良い。利用者が自由に操作できる位置であれば良い。
【符号の説明】
【００５７】
１  筐体
１１  前面扉
１２  商品取り出し口
２  見本表示部
３１  有料商品選択ボタン
３２  無料商品選択ボタン
４  金銭投入部
５  商品収容部
６  商品払出機構
７  主制御部
８  モード制御部
８１  モード切替スイッチ
８２  モード設定回路
８３  タイマー回路
８４  ボタン制御回路
８５  ランプ制御回路
８６  オンオフスイッチ
８７  モード表示部
８７１  有料ランプ
８７２  無料ランプ
９  タブレットコンピュータ
９１  演算処理部
９２  記憶部
９３  ディスプレイ
９４  入力部
９５  カメラ
【要約】
【課題】  事業所において備蓄された非常用飲料を福利厚生や無料サービスの一環として所属者や来訪者に提供するのに好適に利用されるツールを提供する。
【解決手段】  筐体１の前面扉１１には、モード切替スイッチ８１とモード表示部８７とが設けられている。モード切替スイッチ８１が押されると無料モードとなり、非常用飲料を選択するボタンである無料商品選択ボタン３２が動作可能となり、無料商品選択ボタン３２を押すことで非常用飲料が無料で払い出される。無料モードになった後、所定時間経過すると自動的に有料モードに復帰する。
【選択図】  図１【図１】
0005444494.tif 000002
【図２】
0005444494.tif 000003
【図３】
0005444494.tif 000004
【図４】
0005444494.tif 000005
【図５】
0005444494.tif 000006
【図６】
0005444494.tif 000007